(57)【要約】      （修正有）【課題】防水、防犯対策を施しかつ、１）投函物が出来るだけ大きく厚い物（回覧板、通販カタログ本、電話帳等）をより多く投函出来るようにした受け箱２）投函口の真下で投函物が直立しない様にした受け箱を提供する。【解決手段】投函口３が直方体状函体の上面に設けた受け箱において、投函物が投函口３の真下で直立しないように受け箱の内部底面にスベリ台７を取り付け、投函物を斜めに倒し、投函口３の真下のスペースを空け、より多く収納できる受け箱とした。【選択図】図３
2007301310.tif 000002
【特許請求の範囲】
【請求項１】
郵便、新聞、回覧板等の受け箱で
１）受け箱の収納部分は直方体状函体です。
２）投函口が直方体状函体の上面に有ります。
３）投函口の外側に直方体状函体上面全体を被う蓋を取付け二重構造にします。
４）投函物の取出し扉は直方体状函体の前面、裏面のいずれか一箇所に取付けます。
５）受け箱は直立した状態で設置します。
６）受け箱の内部の底面に取出し扉の反対側から取出し扉側に向かって投函物を滑らし斜めにする為のスベリ台を取付け投函口の真下で投函物が直立しない構造にします。
以上１）から６）で構成する受け箱。
【請求項２】
郵便、新聞、回覧板等の受け箱で
１）受け箱の収納部分は直方体状函体です。
２）投函口が直方体状函体の上面に有ります。
３）投函口の外側に直方体状函体上面全体を被う蓋を取付け二重構造にします。
４）投函物の取出し扉は直方体状函体の裏面又は左右の側面いずれか一箇所に取付けます。
５）受け箱は投函口が有る上面を手前に傾け斜めに設置し投函口の真下で投函物が直立しない構造にします。
以上１）から５）で構成する受け箱。
【請求項３】
郵便、新聞、回覧板等の受け箱で
１）受け箱の収納部分は直方体状函体です。
２）投函口が直方体状函体の上面、前面、裏面のいずれか一箇所に有り、
３）投函口の外側に直方体状函体の、その面全体を被う蓋を取付け二重構造にします、
４）投函物の取り出し扉は直方体状函体の両側面以外の前面、上面、裏面、底面のいずれか一箇所に取付けます。
５）受け箱は直方体状函体の両側面に取付けた回転軸を支点に回転できる様に設置します。
６）投函する時は受け箱を手前に傾け投函口の真下で投函物が直立しないようにし又取出す時は取出し易くする為受け箱を直立させる構造にします。
７）受け箱の設置条件により投函時及び取出し時の角度を任意に決め、角度ストッパーを取付ける事が出来る受け箱です。
以上１）から７）で構成する受け箱。
【発明の詳細な説明】
（発明の詳細な説明）
【０００１】（産業上の利用分野）
最近、郵便、新聞、回覧板等の受け箱への投函物が益々大きく厚く成ってきています又投函口から個人情報が記入された投函済みの物の抜き取り犯罪も多く発生しています、投函物が大きく厚くなればその分、投函口も大きくしなければなりません、投函口を大きくすればそれだけ抜き取り犯罪に遭う危険性が高まります、
本発明は、受け箱の大きさ（縦、横、高さ）を最大限利用し、投函物は出来るだけ大きく厚い物（回覧板、通販カタログ本、電話帳等）が投函出来るようにした受け箱で有り、又投函口の外側に直方体状函体の、その面全体を被う蓋を取付け二重構造にする事で防水、防犯対策を施した受け箱です。
【０００２】（従来の技術）
従来の受け箱は回覧板、通販カタログ本等大きく厚い物を投函する為には、
１）  投函口と取出し扉が直方体状函体の前面に有る受け箱では各部の寸法を大きくし内容積を増やす必要が有ります。
２）  投函口を直方体状函体の上面に設け真上から投函する受け箱を使用する。
【０００３】（発明が解決しょうとする課題）
１）  投函口と取り出し扉が直方体状函体の前面に有る受け箱は、投函する時、投函物を水平に入れその後投函物は自重で斜め下に落下します、このため大きく厚い投函物を投函する時、投函物の長さ分の奥行きと投函口から下の寸法が投函物の長さ分必要と成り非常に大きい直方体状函体となります、又取り出し扉が投函口と同じ前面にある為大きくすることができません。
２）  投函口を直方体状函体の上面に設け真上から投函する受け箱では、投函物が特に新聞の時、投函口の真下で折りたたんだものがＶの形状に広がり直立し次ぎの投函の邪魔になる事が有ります。
【０００４】（課題を解決する為の手段）
１）  請求項１は投函口▲３▼が直方体状函体の上面に設けた受け箱において投函物が投函口▲３▼の真下で直立しない様に受け箱の内部底面にスベリ台▲７▼を取付け、投函物を斜めに倒し投函口▲３▼の真下のスペースを空け、より多く収納出来る受け箱にします。
２）  請求項２は投函口▲３▼が直方体状函体の上面に設けた受け箱を手前に傾け斜めに設置します、受け箱の手前内部面がスベリ台になり投函物が投函口▲３▼の真下に直立しない様にした受け箱です。
３）  請求項３は投函口▲３▼が直方体状函体の上面、前面、裏面のいずれか一箇所有り、投函する時は受け箱を手前に傾け手前内部面をスベリ台にし、投函物を取出す時は受け箱を直立させる様に回転させます、いろいろな設置場所において投函し易く、尚且つ取出し易い受け箱に出来ます。
【０００５】（作用）
以上の構成なので大きく厚い投函物でも楽に投函及び取出しができ直方体状函体の大きさ（縦、横、高さ）を最大限利用する事ができます又投函口の外側にその面全体を被う蓋を取付け二重構造にしますので投函口からの投函済みの物の抜き取りは困難となり抜き取り犯罪防止になります。
【実施例】
【０００６】請求項１、２、３、共通実施例
１）  受け箱の収納部分は直方体状函体です。
２）  直方体状函体の材質は金属、樹脂、木製、陶器いずれも良い、
３）  投函口▲３▼の外側に直方体状函体のその面全体を被う蓋▲１▼を蝶番等▲４▼で開閉出来るように取付け二重構造にします。
４）  被う蓋▲１▼の形状は、投函口から風雨や雪が受け箱内部に入らない形状であればどのような形でも良く、又蓋の上に色々な置物を飾りとして置いても良い、
５）  被う蓋▲１▼に受け箱の夜間照明用及び蓋を開けたら鳴るチャイム等の電源として太陽電池を貼り付けても良い。
６）  被う蓋▲１▼の材質は金属、樹脂、木製、陶器いずれも良い。
７）  取出し扉▲２▼は、開き戸タイプ又は引き戸タイプいずれも良く水切り▲５▼の構造で大きく作り施錠▲６▼可能とします。
８）  設置方法は支柱▲９▼を利用するかそれ以外の方法でも良い。
請求項１の実施例
１）  投函口▲３▼は直方体状函体の上面に取付けます。
２）  取出し扉▲２▼は直方体状函体の前面、裏面のいずれか一箇所に取付けます。
３）  受け箱の内部の底面に取出し扉の反対側から取出し扉▲２▼側に向かって投函物を滑らし斜めにする為のスベリ台▲７▼を取付けます。
４）  受け箱は直立した状態で設置します。
請求項２の実施例
１）  投函口▲３▼は直方体状函体の上面に取付けます。
２）  取出し扉▲２▼は直方体状函体の裏面、左右の側面のいずれか一箇所に取付けます。
３）  受け箱は投函口▲３▼が有る上面を手前に傾け斜めに設置します。
請求項３の実施例
１）  投函口▲３▼は直方体状函体の上面、前面、裏面のいずれか一箇所に取付けます。
２）  取出し扉▲２▼は直方体状函体の前面、上面、裏面、底面のいずれか一箇所に取付けます。
３）  直方体状函体の両側面の中心に回転可能な回転軸▲８▼を取付けます。
４）  受け箱の設置条件により投函時及び取出し時の角度を任意に決める事が出来る角度ストッパーを取付けます。
５）  受け箱の設置は、受け箱の両側面に並行に配置した２枚のフレームに開けた穴に回転軸を差し込み取付けます。
【発明の効果】
【０００７】  １）  受け箱の大きさ（縦、横、高さ）を最大限利用し投函物は出来るだけ大きく厚みの有る物が投函出来ます。
２）  投函口の真下で投函物が直立せず次の投函の邪魔にならない。
３）  投函口の外側にその面全体を被う蓋を取付け二重構造にする事で防水、防犯対策になります。
４）  風雨、雪等の対策が施して有り屋外に設置出来ます、敷地の入り口に設置する事で配達人が敷地の奥まで入る事が無くプライバシーの保護と防犯対策となります。
５）  取出し扉を裏側にする事でより防犯対策になります。
【図面の簡単な説明】
【図１】  請求項１、受け箱の内部の底面にスベリ台を取付けた郵便、新聞、回覧板等の受け箱  （図１−１）蓋を持ち上げ投函する状態  （図１−２）取出し扉を開けた状態
【図２】  請求項２、受け箱の上面を手前に傾け斜めに設置した郵便、新聞、回覧板等の受け箱  （図２−１）蓋を持ち上げ投函する状態  （図２−２）取出し扉を開けた状態
【図３】  請求項３、直方体状函体の両側面の中心に回転可能な回転軸を取付けた郵便、新聞、回覧板等の受け箱  （図３−１）蓋を持ち上げ投函する状態  （図３−２）取出し扉を開けた状態
【符号の説明】
▲１▼  投函口が有る面全体を被う蓋
▲２▼  取出し扉
▲３▼  投函口
▲４▼  蝶番等
▲５▼  水切りの構造
▲６▼  施錠
▲７▼  スベリ台
▲８▼  回転軸
▲９▼  支柱
【図１】
2007301310.tif 000003
【図２】
2007301310.tif 000004
【図３】
2007301310.tif 000005